(57)【要約】      （修正有）【課題】  キャップの巻き締め後であっても、ネックリングの上下にグリッパで把持可能な箇所を確保し、グリッパによる搬送・受け渡しを可能にする。【解決手段】  注出口を形成する円筒部の外周に、キャップ３と螺合するねじ山と、ねじ山の下方に形成されるキャップ巻き締め用のカブラと、カブラの下方に形成されるネックリング６とを備える容器であって、カブラ５とネックリング６との間に、キャップ３の巻き締め後であってもグリッパ８で把持可能な突起９を形成し、キャップ３の巻き締め後であっても、ネックリング６の上下にグリッパ７、８で把持可能な箇所を確保する。【選択図】      図２
2007099381.tif 000002
【特許請求の範囲】
【請求項１】
注出口を形成する円筒部の外周に、キャップと螺合するねじ山と、ねじ山の下方に形成されるキャップ巻き締め用のカブラと、カブラの下方に形成されるネックリングとを備える容器であって、
前記カブラと前記ネックリングとの間に、前記キャップの巻き締め後であってもグリッパで把持可能な突起を設けたことを特徴とする容器。
【請求項２】
前記突起が、周方向に連続するリング状であることを特徴とする請求項１記載の容器。
【請求項３】
前記突起が、水平な下面から垂直に立ち上がる外周面を備えることを特徴とする請求項１又は２記載の容器。
【請求項４】
前記突起が、水平な下面から傾斜状に立ち上がる外周面を備え、その立ち上がり角度が３５°〜８５°であることを特徴とする請求項１又は２記載の容器。
【発明の詳細な説明】
【技術分野】
【０００１】
本発明は、注出口を形成する円筒部の外周に、キャップと螺合するねじ山と、ねじ山の下方に形成されるキャップ巻き締め用のカブラと、カブラの下方に形成されるネックリングとを備えるＰＥＴボトルなどの容器に関し、特に、充填・密封ラインなどにおいて、グリッパによる受け渡しが行われる容器に関する。
【背景技術】
【０００２】
飲料製品などが充填されるペットボトルなどの容器は、プリフォームと呼ばれる予備成形体を加熱し、金型内で二軸延伸ブローすることにより得られる。この種の二軸延伸ブロー成形容器は、金型の形状を変えることにより、様々な形状になるので、需要者の要望に幅広く応えることができる。
【０００３】
ところで、容器に対する内容物の充填やキャップによる密封は、充填機（フィラー）、密封機（キャッパー）などの処理機を備えた充填・密封ラインで行われる。充填・密封ラインにおける容器の搬送には、ベルトコンベアなどが用いられるが、コンベア搬送では、個々の容器がフリーの状態なので、振動による揺れなどで容器同士がぶつかり合い、へこみなどの変形が生じる可能性がある。
【０００４】
また、容器同士のぶつかり合いを防止するために、容器の胴部を把持する搬送装置も知られているが、この種の搬送装置では、容器の胴部形状に応じた把持治具が必要になるので、コスト高になるだけでなく、容器の胴部形状が変わるたびに搬送装置の更新が必要になり、手間がかかるという問題がある。
【０００５】
そこで、容器のネック部に形成されるネックリング（サポートリング）やキャップ巻き締め用のカブラを利用して、容器の搬送や受け渡しを行うことが提案される（例えば、特許文献１参照）。つまり、ＰＥＴボトルなどの容器は、通常、図４に示すように、注出口１００を形成する円筒部１０１の外周に、キャップ１０２と螺合するねじ山１０３と、ねじ山１０３の下方に形成されるキャップ巻き締め用のカブラ１０４と、カブラ１０４の下方に形成されるネックリング１０５とを備えているので、ネックリング１０５の上下に２つのグリップ箇所が確保され、図５に示すようなグリッパ１０６、１０７による容器の受け渡しが可能になる。
【０００６】
通常、ＰＥＴボトルなどの多くの容器では、円筒部１０１が共通の形状や直径を有するので、上記の搬送・受け渡し方法によれば、容器の胴部形状が変るたびにグリッパを更新することなく、共通のグリッパを使用することができ、その結果、把持治具の更新に伴うコストや手間の増大を回避できる。
【特許文献１】特開平１１−２３６１２３号公報
【発明の開示】
【発明が解決しようとする課題】
【０００７】
しかしながら、上記の搬送・受け渡し方法は、キャップ１０２の巻き締め後に適用が困難になるという問題がある。すなわち、図４に示すように、容器の円筒部１０１にキャップ１０２をねじ込み、そのスカート部分の未開封リング１０２ａをカブラ１０４に対して巻き締めると、カブラ１０４及びその下方がキャップ１０２の未開封リング１０２ａで覆われるので、ネックリング１０５の上部をグリッパ１０６（１０７）で把持することが困難になる。
【０００８】
本発明は、上記の事情にかんがみなされたものであり、キャップの巻き締め後であっても、ネックリングの上下にグリッパで把持可能な箇所を確保し、グリッパによる搬送・受け渡しができる容器の提供を目的とする。
【課題を解決するための手段】
【０００９】
上記目的を達成するため本発明の容器は、注出口を形成する円筒部の外周に、キャップと螺合するねじ山と、ねじ山の下方に形成されるキャップ巻き締め用のカブラと、カブラの下方に形成されるネックリングとを備える容器であって、前記カブラと前記ネックリングとの間に、前記キャップの巻き締め後であってもグリッパで把持可能な突起を設けた構成としてある。
このようにすると、キャップの巻き締め後であっても、ネックリングの上下にグリッパで把持可能な箇所が確保されるので、グリッパによる搬送・受け渡しが可能になる。
【００１０】
また、本発明の容器は、前記突起が、周方向に連続するリング状としてある。
このようにすると、突起がカブラやネックリングと同様なリング状となるので、既存のグリッパを用いて、容器の搬送・受け渡しを行うことができる。
【００１１】
また、本発明の容器は、前記突起が、水平な下面から垂直に立ち上がる外周面を備える構成としてある。
このようにすると、グリッパで突起の下面及び外周面を支持することにより、搬送中における容器の傾斜を抑制できるので、搬送中における遠心力などの影響を小さくし、安定した搬送を行うことができる。
【００１２】
また、本発明の容器は、前記突起が、水平な下面から傾斜状に立ち上がる外周面を備え、その立ち上がり角度が３５°〜８５°としてある。
このようにすると、グリッパで突起の下面及び外周面を支持することにより、搬送中における容器の傾斜を抑制できるので、搬送中における遠心力などの影響を小さくし、安定した搬送を行うことができる。しかも、外周面の立ち上がり角度を３５°〜８５°としたので、突起の外周面をグリッパで上方から押えつけ、グリッパに対する突起の乗り上げなどを確実に防止できる。
【発明の効果】
【００１３】
以上のように、本発明によれば、カブラとネックリングとの間に、キャップの巻き締め後であってもグリッパで把持可能な突起が設けられるので、キャップを巻き締めた後の状態においても、ネックリングの上下にグリッパで把持可能な箇所を確保し、グリッパによる搬送・受け渡しを行うことができる。
【発明を実施するための最良の形態】
【００１４】
以下、本発明の実施形態について、図面を参照して説明する。
【００１５】
図１は、本発明の実施形態に係る容器の円筒部を示す正面図、図２は、本発明の実施形態に係る容器のグリッパによる受け渡しを示す説明図、図３は、本発明の実施形態に係る容器の突起形状を示す説明図である。
図１に示すように、本発明の実施形態に係る容器は、従来の容器と同様、注出口１を形成する円筒部２の外周に、キャップ３と螺合するねじ山４と、ねじ山４の下方に形成されるキャップ巻き締め用のカブラ５と、カブラ５の下方に形成されるネックリング６とを備えている。
【００１６】
キャップ３は、内周面にねじ山４と螺合可能なねじ溝（図示せず）が形成されるとともに、スカート部分に分離可能な未開封リング３ａを備えている。未開封リング３ａの内周面には、巻き締め時に倒れ、開封時に起きる多数のひだ（図示せず）が形成されている。
カブラ５は、下面が水平で、かつ、上面が傾斜したリング状の突起（フランジ）であり、キャップ３の巻き締め時における未開封リング３ａの乗り越えを許容しつつ、キャップ３の開封時における未開封リング３ａの乗り越えを規制することによって、キャップ開封時に未開封リング３ａをキャップ３から分離させる。
ネックリング６は、周方向に連続するリング状の突起（フランジ）であり、容器の搬送や受け渡しに際し、グリッパ７で把持することができる。
【００１７】
本発明の実施形態に係る容器は、カブラ５とネックリング６との間に、キャップ３の巻き締め後であってもグリッパ８で把持可能な突起９を備える点が従来の容器と相違している。具体的には、カブラ５とネックリング６との間に、キャップ３で覆われない部分を確保するとともに、この部分に突起９を形成している。このようにすると、図２に示すように、キャップ３の巻き締め後であっても、ネックリング６の上下にグリッパ７、８で把持可能な箇所が確保されるので、グリッパ７、８による容器の搬送・受け渡しが可能になる。
【００１８】
突起９は、グリッパ８で把持可能であれば、形状に制限はないが、周方向に連続するリング状（フランジ状）が好ましい。このようにすると、突起９がカブラ５やネックリング６と同様なリング状となるので、既存のグリッパ７、８を用いて、容器の搬送・受け渡しを行うことができる。
【００１９】
突起９を把持するグリッパ８は、突起９の水平な下面９ａを支持するだけでなく、突起９の外周面９ｂも支持できる形状が好ましい。すなわち、突起９が形成される円筒部２は、容器のなかでも径が小さい部分であり、胴部を把持する場合に比べて大きな把持力を必要とし、特に、内容物が充填された後であれば、遠心力が強く働くので、搬送中の容器が傾斜する可能性がある。したがって、突起９の下面９ａ及び外周面９ｂをグリッパ８で支持し、搬送中における容器の傾斜を抑えることが好ましい。
【００２０】
突起９の外周面９ｂをグリッパ８で支持する場合、突起９の下面９ａに対する外周面９ｂの立ち上がり角度は、９０°を超えないことが好ましい。立ち上がり角度が９０°を超えると、容器に遠心力が働いたとき、外周面９ｂの傾斜ガイドによって突起９がグリッパ８に乗り上げやすくなるからである。
【００２１】
すなわち、図３の（Ａ）に示すように、突起９の外周面９ｂを垂直面とした場合は、グリッパ８に突起９が乗り上げる不都合を回避しつつ、搬送中における容器の傾斜を抑制できるので、搬送中における遠心力などの影響を小さくし、安定した搬送を行うことができる。
【００２２】
また、図３の（Ｂ）に示すように、突起９の外周面９ｂを立ち上がり角度が３５°〜８５°の傾斜面とした場合は、突起９の外周面９ｂをグリッパ８で上方から押えつけることができるので、遠心力が働いても、グリッパ８に対する突起９の乗り上げを確実に規制できる。
なお、突起９の外周面は、その一部分を垂直とし、他の部分を立ち上がり角度が３５°〜８５°の傾斜面とすることもでき、この場合も、図３（Ｂ）に示す実施形態の場合と同様の効果を奏する。
【００２３】
以上のように構成された本実施形態の容器は、注出口１を形成する円筒部２の外周に、キャップ３と螺合するねじ山４と、ねじ山４の下方に形成されるキャップ巻き締め用のカブラ５と、カブラ５の下方に形成されるネックリング６とを備える容器であって、カブラ５とネックリング６との間に、キャップ３の巻き締め後であってもグリッパ８で把持可能な突起９を備えるので、キャップ３の巻き締め後であっても、ネックリング６の上下にグリッパ７、８で把持可能な箇所が確保され、グリッパ７、８による搬送・受け渡しが可能になる。
【００２４】
また、突起９を周方向に連続するリング状とした場合は、突起９がカブラ５やネックリング６と同様な形状となるので、既存のグリッパ７、８を用いて、容器の搬送・受け渡しを行うことができる。
【００２５】
ところで、突起９は、グリッパ８による把持及び内容物を注出するときなどに邪魔とならない範囲で、その外径を大きくすることができ、例えば、最大で、ネックリングと同じ程度の外径とすることが可能である。そして、このように突起９の外径を大きくしたときは、突起９の下面をグリッパ８で支持するだけでも、容器を安定して搬送等することが可能となる。したがって、このような場合には、突起９の外周面９ｂ形状の重要性は低下する。
【００２６】
また、突起９はグリッパ８による把持に支障がない限り、必ずしも、連続するリング状でなくてもよく、周方向に断続する突起であってもよい。
【産業上の利用可能性】
【００２７】
本発明は、注出口を形成する円筒部の外周に、キャップと螺合するねじ山と、ねじ山の下方に形成されるキャップ巻き締め用のカブラと、カブラの下方に形成されるネックリングとを備えるＰＥＴボトルなどの容器に適用でき、特に、充填・密封ラインなどにおいて、グリッパによる受け渡しが行われる容器に好適である。
【図面の簡単な説明】
【００２８】
【図１】本発明の実施形態に係る容器の円筒部を示す正面図である。
【図２】本発明の実施形態に係る容器のグリッパによる受け渡しを示す説明図である。
【図３】本発明の実施形態に係る容器の突起形状を示す説明図である。
【図４】従来例に係る容器の円筒部を示す正面図である。
【図５】従来例に係る容器のグリッパによる受け渡しを示す説明図である。
【符号の説明】
【００２９】
１  注出口
２  円筒部
３  キャップ
３ａ  未開封リング
４  ねじ山
５  カブラ
６  ネックリング
７  グリッパ
８  グリッパ
９  突起
９ａ  下面
９ｂ  外周面
１００  注出口
１０１  円筒部
１０２  キャップ
１０２ａ  未開封リング
１０３  ねじ山
１０４  カブラ
１０５  ネックリング
１０６  グリッパ
【図１】
2007099381.tif 000003
【図２】
2007099381.tif 000004
【図３】
2007099381.tif 000005
【図４】
2007099381.tif 000006
【図５】
2007099381.tif 000007